(57)【要約】【課題】バックライトの反射板を取り付けるためのフレーム板に設けられたクリップの取り付け穴を通じて、バックライトの光が漏れ出さない構造を、クリップ自体に備えさせる。【解決手段】液晶セルＬの裏側に配されるフレーム板Ｆに形成された取り付け穴Ｆａと、フレーム板Ｆの表側に配されるバックライトＫの光ｃの反射板Ｒに形成された貫通穴Ｒａとに、液晶セルＬの側から入れ込まれて一旦弾性変形した後の入れ込みきられた位置での弾発によって取り付け穴Ｆａに掛合される掛合部２ｂを備えた脚部２を、支持板１の裏面１ａから突き出し状に備えてなるクリップＣである。脚部２の基部２ａを、支持板１の裏面１ａに形成された取り付け穴Ｆａを略塞ぐ大きさを備えた隆起部３に一体に連接させている。【選択図】図７
2006078952.tif 000002
【特許請求の範囲】
【請求項１】
液晶ディスプレイを構成する液晶セルの裏側に配されるフレーム板に形成された取り付け穴と、このフレーム板の表側に配されるバックライトの光の反射板に形成された貫通穴とに、液晶セルの側から入れ込まれて一旦弾性変形した後の入れ込みきられた位置での弾発によって取り付け穴に掛合される掛合部を備えた脚部を、支持板の裏面から突き出し状に備えてなるクリップであって、
前記脚部の基部が、前記支持板の裏面に形成された、前記取り付け穴を略塞ぐ大きさを備えた隆起部に一体に連接されていることを特徴とするクリップ。
【請求項２】
隆起部が、反射板の貫通穴を通じてフレーム板の取り付け穴内にその一部を入り込ませる肉厚を持つように構成されていることを特徴とする請求項１記載のクリップ。
【請求項３】
隆起部の肉厚内、又は、隆起部の前方に位置される支持板の肉厚内に、肉抜き穴状部が形成されていると共に、
この肉抜き穴状部の穴内面に、しぼが付されていることを特徴とする請求項１又は請求項２記載のクリップ。
【発明の詳細な説明】
【技術分野】
【０００１】
この発明は、液晶ディスプレイにおけるバックライトの反射板を、液晶セルの裏側に取り付けるために用いられるクリップの改良に関する。
【背景技術】
【０００２】
液晶ディスプレイのうち、液晶テレビなどにあっては、一般に、液晶セルＬの裏側にバックライトＫが配されており、この液晶セルＬをこのバックライトＫの光ｃが透過するようになっている。このバックライトＫの後方にはさらに反射板Ｒ（一般に白色の板状体）が配されると共に、この反射板Ｒはフレーム板Ｆ（一般に板金）にクリップＣ’によって取り付けられるようになっている。（図８参照）
【０００３】
かかるクリップＣ’は、前記フレーム板Ｆに形成された取り付け穴Ｆａと、このフレーム板Ｆの表側に配される反射板Ｒに形成された貫通穴Ｒａとに、液晶セルＬの側から入れ込まれて一旦弾性変形した後の入れ込みきられた位置での弾発によって取り付け穴Ｆａに掛合される掛合部１１１を備えた脚部１１０を、支持板１００の裏面から突き出し状に備えてなる。
【０００４】
しかるに、図８に示される従来のクリップＣ’は、支持板１００の裏面に、取り付け穴Ｆａの穴径よりも細い脚部１１０の基部１１２を一体に連接させることにより構成されていたため、支持板１００を透過したバックライトＫの光ｃを前記貫通穴Ｒａと取り付け穴Ｆａを通じて後方に漏れ出させてしまうものであった。（図８）このように光ｃを漏れ出させてしまうと液晶ディスプレイの筐体背部Ｐに形成された通気孔Ｐａなどを通じてその後方の壁Ｈの面などに不要な光点などを作り出させてしまうことから、従来は、フレーム板Ｆの裏面にさらに不織布などの遮光シートＳを張り込ませて前記取り付け穴Ｆａからの光の漏れ出しを防ぐようにしていた。（図９）
【発明の開示】
【発明が解決しようとする課題】
【０００５】
この発明が解決しようとする主たる問題点は、この種のクリップにおいて、バックライトの反射板を取り付けるためのフレーム板に設けられたクリップの取り付け穴を通じて、バックライトの光が漏れ出さない構造を、そのクリップ自体に備えさせる点にある。
【課題を解決するための手段】
【０００６】
前記課題を解決するために、この発明にあっては、クリップを、液晶ディスプレイを構成する液晶セルの裏側に配されるフレーム板に形成された取り付け穴と、このフレーム板の表側に配されるバックライトの光の反射板に形成された貫通穴とに、液晶セルの側から入れ込まれて一旦弾性変形した後の入れ込みきられた位置での弾発によって取り付け穴に掛合される掛合部を備えた脚部を、支持板の裏面から突き出し状に備えてなるクリップであって、
前記脚部の基部を、前記支持板の裏面に形成された取り付け穴を略塞ぐ大きさを備えた隆起部に一体に連接させているものとした。
【０００７】
かかる構成によれば、貫通穴と取り付け穴とを連通させた状態でこれらに液晶セルの側から脚部を入れ込ませることにより、支持板と掛合部との間で反射板とフレーム板とを挟み付けて、このフレーム板に反射板をクリップを介してワンタッチで取り付けることができる。かかる脚部は取り付け穴に入れ込める太さとなるが、隆起部はこの取り付け穴を略塞ぐ大きさを備えていることから、支持板を透過したバックライトの光が貫通穴と取り付け穴とを通じて後方に漏れ出す事態を、クリップ自体によってできる限り生じさせないようにすることができる。
【０００８】
前記隆起部を、反射板の貫通穴を通じてフレーム板の取り付け穴内にその一部を入り込ませる肉厚を持つように構成させておくこともある。
【０００９】
このようにした場合、隆起部をできる限り厚肉にさせて、支持板を透過する光がこの隆起部から先にできる限り透過しないようにすることができる。
【００１０】
前記隆起部の肉厚内、又は、隆起部の前方に位置される支持板の肉厚内に、肉抜き穴状部を形成させておくと共に、
この肉抜き穴状部の穴内面に、しぼを付させておくようにしておくこともある。
【００１１】
このようにした場合、前方から透過して肉抜き穴状部内に入射されてきた光を肉抜き穴状部の穴内面によって乱反射させて拡散させることができ、これによりバックライトの光が前記隆起部から先にできる限り透過しないようにすることができる。
【発明の効果】
【００１２】
この発明によれば、クリップ自体によって、液晶セル用のバックライトの反射板を取り付けるためのフレーム板に設けられたこのクリップの取り付け穴を通じて、かかるバックライトの光が後方に漏れ出さないようにすることができる。
【発明を実施するための最良の形態】
【００１３】
以下、図１ないし図７に基づいて、この発明を実施するための最良の形態について説明する。
【００１４】
なお、ここで図１ないし図５は、この実施の形態にかかるクリップＣをそれぞれ示しており、また、図６は、かかるクリップＣの特に脚部２を拡大して示している。また、図７は、かかるクリップＣの使用状態を示している。
【００１５】
この実施の形態にかかるクリップＣは、液晶ディスプレイにおけるバックライトＫの反射板Ｒを、液晶セルＬの裏側に取り付けるために用いられるものである。
【００１６】
かかるクリップＣは、支持板１と、この支持板１の裏面１ａにこの裏面１ａから突き出すように備えられる脚部２とを有している。かかる脚部２には、液晶ディスプレイを構成する液晶セルＬの裏側に配されるフレーム板Ｆに形成された取り付け穴Ｆａと、このフレーム板Ｆの表側に配されるバックライトＫの光ｃの反射板Ｒに形成された貫通穴Ｒａとに、液晶セルＬの側から入れ込まれて一旦弾性変形した後の入れ込みきられた位置での弾発によって取り付け穴Ｆａに掛合される掛合部２ｂが備えられている。かかる反射板Ｒは一般に白色とされ、また、かかるクリップＣも白色とされる。
【００１７】
すなわち、かかるクリップＣは、前記取り付け穴Ｆａと貫通穴Ｒａとを連通させ合わせた状態で、これらに、支持板１の裏面１ａが反射板Ｒの表面Ｒｂに接する位置まで、脚部２を入れ込ませることにより、この支持板１と脚部２の掛合部２ｂとの間で反射板Ｒとフレーム板Ｆとを挟み付けて、このフレーム板Ｆに反射板ＲをクリップＣを介して取り付けさせるものである。
【００１８】
図示の例では、前記支持板１は、細長い板状をなすと共に、その長さ方向略中程の位置に、その表面側から前方に突き出す山形状部１ｃを持つように、この中程の位置に屈曲を施されている。山形状部１ｃを挟んだ両端部１ｄ、１ｄは、その表面１ｂおよび裏面１ａをいずれも同レベルに位置させている。そして、この支持板１の両端部１ｄ、１ｄの裏面１ａにそれぞれ、この裏面１ａから突き出すように脚部２が備えられている。
【００１９】
一方、前記脚部２は、支持板１の巾方向に沿った板面を持った板状をなす脚主体２ｃと、この脚主体２ｃの両側にそれぞれ設けられた弾性片２ｄとを備えている。一対の弾性片２ｄ、２ｄはそれぞれ、片一端２ｅを脚主体２ｃの先端に一体に連接させて脚主体２ｃの基部側に向けてこの先端から突き出すように設けられると共に、片他端２ｆに向かうに連れて内外面を共に脚主体２ｃから離れ出させるように傾斜されている。そして、この弾性片２ｄの外面部であって、その片他端２ｆの頂部２ｇの先に、支持板１の裏面１ａに向いた掛合面２ｈが形成されている。
【００２０】
そして、反射板Ｒとフレーム板Ｆとの肉厚の和が、支持板１の裏面１ａと弾性片２ｄの掛合面２ｈとの間のピッチに略等しくなるようにしてある。また、一対の弾性片２ｄ、２ｄの片他端２ｆの頂部２ｇ間のピッチが、前記貫通穴Ｒａの径と略等しく、かつ、前記取り付け穴Ｆａの径よりもやや大きくなるようにしてある。
【００２１】
そして、図示の例にあっては、反射板Ｒは、左右に続く山形状部Ｒｃを上下に間隔を開けて複数備え、かつ、隣り合う山形状部Ｒｃ間に鉛直方向に沿った平坦部Ｒｄを有するように形成されていると共に、この平坦部Ｒｄに前記貫通穴Ｒａを有しており、さらに、隣り合う山形状部１ｃ間にバックライトＫを構成する蛍光管Ｋａを位置させるようになっており、
また、フレーム板Ｆは、反射板Ｒの形状に倣った山形状部Ｆｂと平坦部Ｆｃとを有しており、この平坦部Ｆｃに前記取り付け穴Ｆａを有している。
【００２２】
そして、図示の例にあっては、クリップＣの支持板１の山形状部１ｃの裏面１ａが反射板Ｒの山形状部Ｒｃの表面Ｒｂに押し当てられ、かつ、支持板１の一方端部１ｄの裏面１ａが反射板Ｒのその山形状部Ｒｃを挟んだ一方の平坦部Ｒｄの表面Ｒｂに押し当てられると共に、支持板１の他方端部１ｄの裏面１ａが反射板Ｒのその山形状部Ｒｃを挟んだ他方の平坦部Ｒｄの表面Ｒｂに押し当てられる位置まで、前記のように連通させ合わされた貫通穴Ｒａと取り付け穴Ｆａに脚部２を入れ込ませることにより、頂部２ｇを取り付け穴Ｆａの穴縁部および穴内壁に接しさせて一旦内向きに撓み込まされた一対の弾性片２ｄ、２ｄのこの頂部２ｇが取り付け穴Ｆａの入れ込み先側にある穴縁から先に突き出された位置での弾発によってこの入れ込み先側にある穴縁に前記掛合面２ｈが掛合され、これにより、クリップＣを介して反射板Ｒがフレーム板Ｆに取り付けられるようになっている。
【００２３】
そして、この実施の形態にあっては、前記脚部２の基部２ａを、前記支持板１の裏面１ａに形成された、前記取り付け穴Ｆａを略塞ぐ大きさを備えた隆起部３に一体に連接させるようにして、この脚部２を支持板１に備えさせている。
【００２４】
図示の例では、かかる隆起部３は、脚主体２ｃの巾寸法と略等しい直径を備えた短寸の円柱状をなすように構成されている。また、この隆起部３の直径が、貫通穴Ｒａの穴径よりも小さく、かつ、取り付け穴Ｆａの穴径と略等しくなるようにしてある。
【００２５】
また、かかる隆起部３は、反射板Ｒの貫通穴Ｒａを通じてフレーム板Ｆの取り付け穴Ｆａ内にその一部を入り込ませる肉厚を持つように構成されている。すなわち、支持板１の裏面１ａからの隆起部３の突き出し寸法が、この隆起部３の隆起端を、クリップＣを前記のようにフレーム板Ｆに掛合させた反射板Ｒの取り付け状態において、このフレーム板Ｆの取り付け穴Ｆａに入り込ませる寸法となるようにしてある。
【００２６】
これにより、この実施の形態にかかるクリップＣによれば、貫通穴Ｒａと取り付け穴Ｆａとを連通させた状態でこれらに液晶セルＬの側から脚部２を入れ込ませることにより、支持板１と掛合部２ｂとの間で反射板Ｒとフレーム板Ｆとを挟み付けて、このフレーム板Ｆに反射板ＲをクリップＣを介してワンタッチで取り付けることができる。また、かかる脚部２は取り付け穴Ｆａに入れ込める太さとなるが、隆起部３はこの取り付け穴Ｆａを略塞ぐ大きさを備えていることから、支持板１を透過したバックライトＫの光ｃが貫通穴Ｒａと取り付け穴Ｆａとを通じて後方に漏れ出し、液晶ディスプレイの筐体背部Ｐに形成された通気孔Ｐａなどの後方にある壁Ｈの面などを照らしてしまうなどの事態を、クリップＣ自体によってできる限り生じさせないようにすることができる。
【００２７】
また、前記隆起部３は、反射板Ｒの貫通穴Ｒａを通じてフレーム板Ｆの取り付け穴Ｆａ内にその一部を入り込ませる肉厚を持つように構成されていることから、隆起部３をクリップＣの機能を損なうことなくできる限り厚肉にさせることができ、これにより、支持板１を透過する光ｃがこの隆起部３から先にできる限り透過しないようにすることができる。
【００２８】
また、この実施の形態にあっては、前記隆起部３の肉厚内に、肉抜き穴状部３ｂを形成させていると共に、この肉抜き穴状部３ｂの穴内面３ｃに、図示しないしぼを付させている。
【００２９】
図示の例では、かかる肉抜き穴状部３ｂは、隆起部３の側部３ａにおいて開放されて隆起部３内に続くように形成されている。また、この例では、かかる肉抜き穴状部３ｂは、支持板１の長さ方向に沿った縁部に向けられた隆起部３の側部３ａにそれぞれ、形成されている。また、この例では、このように隆起部３の一方側部３ａから形成された肉抜き穴状部３ｂと他方側部３ａから形成された肉抜き穴状部３ｂとの奥穴壁３ｄ間に、芯部３ｇが残されている。そして、図示の例にあっては、かかる肉抜き穴状部３ｂの奥穴壁３ｄ、隆起部３の突き出し方向に直交する向きにある一対の側壁３ｅ、３ｅ、および、隆起部３の突き出し方向に沿った向きにある一対の側壁３ｆ、３ｆにそれぞれ、しぼが付されている。この実施の形態にあっては、かかるクリップＣは、プラスチック成形品として構成されており、かかるしぼは、この肉抜き穴状部３ｂを成形する金型の外面にエッチング処理によりしぼ地を付すことにより、この肉抜き穴状部３ｂの穴内面３ｃに形成させることができる。
【００３０】
これにより、この実施の形態にあっては、前方から透過して肉抜き穴状部３ｂ内に入射されてきたバックライトＫの光ｃを肉抜き穴状部３ｂの穴内面３ｃによって乱反射させて拡散させることができ、これによりバックライトＫの光ｃが前記隆起部３から先にできる限り透過しないようにすることができる。
【００３１】
肉抜き穴状部３ｂは、前記隆起部３の前方に位置される支持板１の肉厚内１ｅに、形成させておくこともできる。
【００３２】
このようにした場合にも、前方から透過してかかる肉抜き穴状部３ｂ内に入射されてきたバックライトＫの光ｃをかかる肉抜き穴状部３ｂの穴内面によって乱反射させて拡散させることができ、これによりバックライトＫの光ｃが前記隆起部３から先にできる限り透過しないようにすることができる。
【図面の簡単な説明】
【００３３】
【図１】クリップＣの正面図
【図２】同平面図
【図３】同左側面図
【図４】同底面図
【図５】図１におけるＡ−Ａ線断面図
【図６】図１におけるＢ部拡大正面図
【図７】使用状態を示した構成図
【図８】従来例の使用状態を示した構成図
【図９】従来例の使用状態を示した構成図
【符号の説明】
【００３４】
Ｃ  クリップ
Ｌ  液晶セル
Ｋ  バックライト
Ｒ  反射板
Ｒａ  貫通穴
Ｆ  フレーム板
Ｆａ  取り付け穴
ｃ  光
１  支持板
１ａ  裏面
２  脚部
２ａ  基部
２ｂ  掛合部
３  隆起部
【図１】
2006078952.tif 000003
【図２】
2006078952.tif 000004
【図３】
2006078952.tif 000005
【図４】
2006078952.tif 000006
【図５】
2006078952.tif 000007
【図６】
2006078952.tif 000008
【図７】
2006078952.tif 000009
【図８】
2006078952.tif 000010
【図９】
2006078952.tif 000011